(57)【要約】【課題】シンプルな構造である弾力性ソールでありかつ緩衝性において良好な性能を備えた弾力性ソールを提供する。【解決手段】ソールの上層の上の足形凹部と、前記足形凹部内に配列された弾力性をもつ複数の中空円筒部とを有し、前記中空円筒部の各々が、アーチ状の面であって閉じることが可能な開放上面を具備する、弾力性ソールである。前記開放上面が、球状の面である。前記中空円筒部の直径が０．５〜２cmである。前記中空円筒部同士の間にゴムが充鎮される。【選択図】図１
2009537185.tif 000002
【特許請求の範囲】
【請求項１】
ソールの上層の上の足形凹部と、
前記足形凹部内に配列された弾力性をもつ複数の中空円筒部とを有し、
前記中空円筒部の各々が、アーチ状の面であって閉じることが可能な開放上面を具備する、弾力性ソール。
【請求項２】
前記開放上面が、球状の面である、請求項１に記載の弾力性ソール。
【請求項３】
前記中空円筒部の直径が０．５〜２cmである、請求項１または２に記載の弾力性ソール。
【請求項４】
前記中空円筒部同士の間にゴムが充填された、請求項１に記載の弾力性ソール。
【発明の詳細な説明】
【技術分野】
【０００１】
本発明は、ソールに関し、特に弾力性を備えたソールに関する。
【背景技術】
【０００２】
通常、公知のソールは、歩行中の地面に対する足の衝撃を緩和するために、弾性材料から形成されているか、または靴踵内にエアクッションを設けられている。前者については、好ましい緩衝性を付与するには、弾力性効果が十分良好ではない。一方、後者については、エアクッションは容易に経年劣化し変形する可能性があり、さらに、エア室を配置する必要性から靴の製造工程を複雑化させコストを増すことになる。別の公知のソールにおいては、通常ゴム材料から形成された複数の中空円筒がソール上に密に配列されることにより、弾性を向上させているが、その弾性はゴム材料自体により制約される。
【発明の開示】
【発明が解決しようとする課題】
【０００３】
上記従来技術の概要及びその欠点に鑑み、本発明は、シンプルな構造である弾力性ソールでありかつ緩衝性において良好な性能を備えた弾力性ソールを提供することを目的とする。
【課題を解決するための手段】
【０００４】
上記の本発明の目的は、以下の解決手段により達成される。
【０００５】
弾力性ソールは、ソールの上層の上の足形凹部と、前記凹部内に配列した複数の弾力性中空円筒部とを有し、前記中空円筒部の各々がアーチ状の面である開放上面を具備する。このソールはゴムから作製してもよい。これらの中空円筒部は、弾力性を備えることにより、衝撃を和らげることができる。中空円筒部のアーチ状の面である開放上面は、足のマッサージ機能を備えている。
【０００６】
好適には、中空円筒部同士の間の凹部内にゴムが充填されてもよく、それにより弾力性を向上させる。
好適には、中空円筒部が、直径０．５〜２cmである。
【発明の効果】
【０００７】
本発明によるソールは、シンプルな構造であり、低コストであり、良好な弾力性を備える。そして、耐久性がありかつ衝撃を和らげることができる。中空円筒部のアーチ状の面である開放上面には、足のマッサージ機能がある。
【発明を実施するための最良の形態】
【０００８】
図１、図２にソールの実施例を示す。ソール１は、足形凹部２を備え、図２に示すように、この足形凹部内に複数の中空円筒部３が、ループ状、横列状または縦列状に、全面にまたは局所的に配列されている。中空円筒部同士の間にゴムを充填してもよく、例えば、ゴム片４を、凹部２の内部を充填するために用いてもよく、ゴム片４の上には、弾力性中空円筒部に対応する孔が設けられている。中空円筒部の各々は、開放上面を有し、その開放上面はアーチ状の表面であって閉じることが可能であり、直径０．５〜２cmである。弾力性の中空円筒部及びソールは、一工程の成型によりゴム材料から作製される。図３及び図４に示す別の実施例では、中空円筒部３の開放上面が、球面状である。
【０００９】
中空円筒部の開放上面は、アーチ状または球面状の表面であり、かつ、閉じられることができる。アーチ状または球面状の表面は、足に対する中空円筒部の支持方式を変化させ、中空円筒部のアーチ状または球面状の表面に対して作用する身体の力が、鉛直方向ではなくなる。なぜなら、人間の身体の重量と中空円筒部に対する衝撃力との間に所与の角度が形成されるからである。従って、鉛直方向の支持力が、曲げ力を形成することとなり、それがアーチ状または球面状の表面から中空円筒部の下部に対して伝達され、アーチ状または球面状の表面をもつ中空円筒部は所与の圧力で圧縮されることとなる。
【００１０】
このソールを靴内に挿入し、弾力性中空円筒部をインソールにより覆い、アーチ状または球面状の表面がインソールと係合し、そしてそれにより中空円筒部の各々の内側に空気が封止された後、中空円筒部の内側の空気は、圧力が解放された後に弾力性中空円筒部がその通常の状態に復帰することを補助する。
【００１１】
ゴム材料は、弾力性能があり、曲げに対する抵抗力があり、かつ中空円筒部の内側の空気は中空円筒部がその通常の状態に復帰することを補助するので、中空円筒部は自在に変形することができる。本発明の構造は、弾力性効果を格段に向上させるとともに衝撃を効果的に和らげる。さらに、中空円筒部の各々が足の形状に合わせて個々に変形し足に対する圧力を最小限とするので、快適さも改善する。
【図面の簡単な説明】
【００１２】
【図１】本発明の第１の実施例によるソールの前面図である。
【図２】本発明の第１の実施例によるソールのＡ−Ａラインに沿った断面図である。
【図３】本発明の第２の実施例によるソールの前面図である。
【図４】本発明の第２の実施例によるソールのＢ−Ｂラインに沿った断面図である。
【符号の説明】
【００１３】
１  ソール
２  足形凹部
３  中空円筒部
４  ゴム片
【図１】
2009537185.tif 000003
【図２】
2009537185.tif 000004
【図３】
2009537185.tif 000005
【図３】
2009537185.tif 000006
【図４】
2009537185.tif 000007
【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
ソールの上層の上の足形凹部と、
前記足形凹部内に配列された弾力性をもつ複数の中空円筒部とを有し、
前記中空円筒部の各々が、アーチ状の面であって閉じることが可能な開放上面を具備する、弾力性ソール。
【請求項２】
前記中空円筒部の直径が０．５〜２cmである、請求項１に記載の弾力性ソール。
【請求項３】
前記中空円筒部同士の間にゴムが充填された、請求項１に記載の弾力性ソール。
【手続補正２】
【補正対象書類名】明細書
【補正対象項目名】全文
【補正方法】変更
【補正の内容】
【書類名】明細書
【発明の名称】弾力性ソール
【技術分野】
【０００１】
本発明は、ソールに関し、特に弾力性を備えたソールに関する。
【背景技術】
【０００２】
通常、公知のソールは、歩行中の地面に対する足の衝撃を緩和するために、弾性材料から形成されているか、または靴踵内にエアクッションを設けられている。前者については、好ましい緩衝性を付与するには、弾力性効果が十分良好ではない。一方、後者については、エアクッションは容易に経年劣化し変形する可能性があり、さらに、エア室を配置する必要性から靴の製造工程を複雑化させコストを増すことになる。中国特許出願No.97205638.6等の別の公知のソールにおいては、通常ゴム材料から形成された複数の中空円筒がソール上に密に配列されることにより、弾性を向上させているが、その弾性はゴム材料自体により制約される。特許文献１「ＳＰＡサンダル(SPA SANDAL)」は、丸い突起を設けたソールを開示し、各突起が丸い頭部と中空の中心部を有している。そしてソールの上面は閉じられているので、ソールは上層と下層に分離されなければならない。そうでなければ、成型と型外しが不可能となるからである。従って、この種のソールは、上層と下層に分離されて各々成型加工され、その後で互いに重ねることによりソールを形成する必要がある。接着剤の可撓性と熱膨張係数がソールのそれらと異なるという理由から、ソールの屈曲性に影響を及ぼし、また長期間の歩行と頻繁な屈曲により上層と下層が互いに外れてしまう可能性がある。さらに、接着剤は、長期間経過するとその屈曲性を失ってしまう。跳躍やランニング中に、瞬間的な降圧が中空円筒部内に形成されることになり、それにより屈曲領域を大きく破損し、空気漏れを生じることになる。そして、中空円筒部の上面は踏み付けにより沈み込んでしまう。もし、これらの中空円筒部が比較的剛性のある材料で形成されていれば、快適さと弾力性に関しては無意味となってしまう。このように、ソールには耐久性がなく、上記のような質的な問題を有している。さらに、２つの成型品として準備される２つの部品に分けてソールを作製しなければならず、このことがさらにコストを高くし環境汚染をもたらす。
【特許文献１】英国特許出願公開第2303780号明細書
【発明の開示】
【発明が解決しようとする課題】
【０００３】
上記従来技術の概要及びその欠点に鑑み、本発明は、シンプルな構造であって耐久性がありかつ緩衝性において良好な性能を備えるべく足とソールの間の接触面を自動的に調整することが可能な弾力性ソールを提供することを目的とする。
【課題を解決するための手段】
【０００４】
上記の本発明の目的は、以下の解決手段により達成される。
【０００５】
弾力性ソールは、ソールの上層の上の足形凹部と、前記凹部内に配列した複数の弾力性中空円筒部とを有し、前記中空円筒部の各々がアーチ状の面である開放上面を具備する。このソールはゴムまたは他の適宜の弾性材料から作製してもよい。これらの中空円筒部は、弾力性を備えることにより、衝撃を和らげることができ、さらに、異なる箇所における圧力によって異なる程度に変形することで足が耐える圧力を最小限とする。中空円筒部のアーチ状の面である開放上面は、足のマッサージ機能を備えている。
【０００６】
ソールすなわち本発明の弾力性ソールの製造において、ソールは１回の成型工程によりただ１つの型で作製でき、型から容易に外すことができる。開放された上面のない中空円筒部をもつソールと比べて１つの型を節減できるので、従来のソールにおける型を加硫して上層を下層と接着するコストも低減できる。さらに、中空円筒部はソールの凹部内に一体化されているので、中空円筒部が使用時に外れることはない。インソールが人体の重量の下で、円筒部の開放上面に対して集中的に圧力を掛けることにより、開放上面が閉鎖され、アーチ状面がインソールにより密閉される。このようにして、インソールと中空円筒部により空気室が動的に形成されることで、弾力性が向上する。衝撃が強くなるほど、開放上面はよりしっかりと密閉される。なぜなら、衝撃にが強くなるほど反力も大きくなるからである。これは、通常自動車で用いられる内チューブのないホイールにおいて、外チューブが大きな内部圧力の下でより良好にハブと結合する原理と似ている。一方、インソールと凹部の間に形成される空気層は、断熱においても良好な性能を有する。
好適には、中空円筒部同士の間の凹部内にゴムが充填されてもよく、それにより弾力性を向上させ、より重量のある人を支持する。
好適には、中空円筒部が、直径０．５〜２cmである。
【発明の効果】
【０００７】
本発明によるソールは、シンプルな構造であり、低コストであり、良好な弾力性を備える。そして、耐久性がありかつ衝撃を和らげることができ、さらに、異なる箇所における圧力によって異なる程度に変形することで足が耐える圧力を最小限とする。中空円筒部のアーチ状の面である開放上面には、足のマッサージ機能がある。
【発明を実施するための最良の形態】
【０００８】
図１、図２にソールの実施例を示す。ソール１は、足形凹部２を備え、図２に示すように、この足形凹部内に複数の中空円筒部３が、ループ状、横列状または縦列状に、全面にまたは局所的に配列されている。図３に示すように、中空円筒部同士の間にゴムを充填してもよく、例えば、ゴム片４を、凹部２の内部を充填するために用いてもよく、ゴム片４の上には、弾力性中空円筒部に対応する孔が設けられている。中空円筒部の各々は、開放上面を有し、その開放上面はアーチ状の表面であって閉じることが可能であり、直径０．５〜２cmである。弾力性の中空円筒部及びソールは、一工程の成型によりゴム材料から作製される。
【０００９】
中空円筒部の開放上面は、アーチ状の表面であり、かつ、閉じられることができる。アーチ状の表面は、足に対する中空円筒部の支持方式を変化させ、中空円筒部のアーチ状の表面に対して作用する身体の力が、鉛直方向ではなくなる。なぜなら、人間の身体の重量と中空円筒部に対する衝撃力との間に所与の角度が形成されるからである。従って、鉛直方向の支持力が、曲げ力を形成することとなり、それがアーチ状の表面から中空円筒部の下部に対して伝達され、アーチ状の表面をもつ中空円筒部は所与の圧力で圧縮されることとなる。
【００１０】
このソールを靴内に挿入し、弾力性中空円筒部をインソールにより覆い、アーチ状の表面がインソールと係合し、そしてそれにより中空円筒部の各々の内側に空気が封止された後、中空円筒部の内側の空気は、圧力が解放された後に弾力性中空円筒部がその通常の状態に復帰することを補助する。
【００１１】
ゴム材料は、弾力性能があり、曲げに対する抵抗力があり、かつ中空円筒部の内側の空気は中空円筒部がその通常の状態に復帰することを補助するので、中空円筒部は自在に変形することができる。本発明の構造は、弾力性効果を格段に向上させるとともに衝撃を効果的に和らげる。さらに、中空円筒部の各々が足の形状に合わせて個々に変形し足に対する圧力を最小限とするので、快適さも改善する。
【図面の簡単な説明】
【００】
【図１】本発明の実施例によるソールの前面図である。
【図２】図１のソールのＡ−Ａラインに沿った断面図である。
【図３】本発明の別の実施例によるソールのＡ−Ａラインに沿った断面図である。
【符号の説明】
【００】
１  ソール
２  足形凹部
３  中空円筒部
４  ゴム片
【手続補正３】
【補正対象書類名】図面
【補正対象項目名】全図
【補正方法】変更
【補正の内容】
【図１】
2009537185.tif 000008
【図２】
2009537185.tif 000009
【図３】
2009537185.tif 000010
【国際調査報告】
2009537185.tif 000011
2009537185.tif 000012
2009537185.tif 000013
2009537185.tif 000014
2009537185.tif 000015
2009537185.tif 000016
2009537185.tif 000017